(57)【要約】【課題】  筐体に上蓋が取り付けられたままの状態で上蓋裏面の係合部品を外部から脱着することができる係合部品の取付構造を得ることにある。【解決手段】  作動機構を内蔵する筐体１と、この筐体１の内底部に高さ調整可能に取り付けられた下側芯出し部材６と、点検用窓穴１０を有して筐体１に取り付けられた上蓋２とを備え、上蓋２の裏面に下側芯出し部材６と同芯状に組み付けられる係合部品１１の取付構造において、前記上蓋２に設けられた部品取付穴９と、前記係合部品１１の軸方向一端部に設けられて部品取付穴９に上蓋２の裏側から挿入され、係合部品１１を回動させて上蓋２の表面に係合された係合爪１２と、前記係合部品１１の軸方向他端部に設けられ、前記点検用窓穴１０から筐体１内部に挿入可能な治具２０を着脱可能に嵌め込み係合させる治具係合受部１３とからなるものである。【選択図】        図１
2006127578.tif 000002
【特許請求の範囲】
【請求項１】
作動機構を内蔵する筐体と、この筐体の内底部に高さ調整可能に取り付けられた下側芯出し部材と、点検用窓穴を有して前記筐体に取り付けられた上蓋とを備え、前記上蓋の裏面に前記下側芯出し部材と同芯状に組み付けられる係合部品の取付構造において、前記上蓋に設けられた部品取付穴と、前記係合部品の軸方向一端部に設けられて前記部品取付穴に前記上蓋の裏側から挿入され、前記係合部品を回動させて前記上蓋の表面側に係合させた係合爪と、前記係合部品の軸方向他端部に設けられ、前記点検用窓穴から筐体内部に挿入可能な治具を着脱可能に嵌め込み係合させる治具係合受部とを備えたことを特徴とする係合部品の取付構造。
【請求項２】
上蓋には、当該上蓋を筐体に取り付けた状態で筐体内部の下側芯出し部材と同芯状に対向する芯出し孔が設けられ、係合部品の軸方向一端部には前記芯出し孔に着脱可能に挿入される中心軸部が設けられていることを特徴とする請求項１記載の係合部品の取付構造。
【請求項３】
下側芯出し部材は、筐体の底部にカシメ固定されて筐体内部に立ち上がるピンに高さ調整可能に圧入されていることを特徴とする請求項１または請求項２記載の係合部品の取付構造。
【請求項４】
作動機構を内蔵する筐体の上蓋の裏面に取り付ける係合部品の軸方向一端に設けられた係合爪を、前記上蓋に設けられた部品取付孔に挿入し、前記係合部品を回動させて前記係合爪を上蓋の表面側に係合させることにより、前記上蓋の裏面に取り付けられた係合部品を脱着する部品脱着用治具において、前記上蓋に設けられた点検用窓穴から筐体内部に挿入可能なハンドル軸の先端側をほぼＵ字形状に屈曲させ、その屈曲先端側には、前記係合部品の軸方向他端部に設けられた治具係合受部に着脱可能に嵌め込み係合させる治具側係合部を設けたことを特徴とする係合部品脱着用治具。
【請求項５】
係合部品の治具係合受部は角穴形状の治具嵌合穴からなり、ハンドル軸先端の治具側係合部は前記治具嵌合穴とほぼ同一断面形状の嵌合凸部からなっていることを特徴とする請求項４記載の部品脱着用治具。
【発明の詳細な説明】
【技術分野】
【０００１】
この発明は、例えばカーオーディオのディスク保持用フローティングデッキ系統において、筐体の上蓋裏面に取り付けられる係合部品としてのスナップフィット部品の取付構造及びその部品脱着用治具に関するものである。
【背景技術】
【０００２】
従来のスナップフィット部品の取付構造として、例えばカーオーディオのディスク装置では、様々なオーディオデッキメカが組み付けられた筐体に取り付ける上蓋の裏面に、ディスクチェンジの際のディスクの芯出しを行うためのスナップフィット部品をネジ込み等の手段で取り付け固定している。さらに詳しく説明すると、前記筐体の内底部には、前記オーディオデッキメカのうちのフローティングデッキを、これに搭載されたターンテーブルの芯出し位置に位置決め保持させるための下側芯出し部材が高さ調整可能に取り付けられている。その下側芯出し部材は、筐体の底部にカシメ固定されて筐体内部に立ち上がるピンに高さ調整可能に圧入した取り付けた構造となっている。そして、前記上蓋の裏面にスナップフィット部品をネジ込み等の手段で前記下側芯出し部材と同芯状に取り付けている。
【０００３】
このようなディスク装置では、メカ組立最終工程でフローティングデッキの高さ調整を行うことが組立精度を確保する上で好ましいとされている。そのフローティングデッキの高さ調整は、前記下側芯出し部材が圧入されているピンを上側治具で押え、この状態で前記下側芯出し部材を下側治具で押し上げることによって行われる。このようなフローティングデッキの高さ調整を従来は筐体から上蓋を取り外して行っている。また、上蓋裏面のスナップフィット部品に不具合が生じた場合においても、筐体から上蓋を取り外して前記スナップフィット部品の交換を行っている。
【０００４】
なお、他の従来技術として、車両前面側や車両後面側に治具挿入用の開口部や空間を確保できない場合でも、車体パネルと外装部品を締結している締結部品を外部からマイナスドライバーで取り外すことができるようにした車両用部品締結部構造も提案されている（例えば、特許文献１参照）。
【０００５】
【特許文献１】特開２０００−３３５３３９号公報（第３頁、図３）
【発明の開示】
【発明が解決しようとする課題】
【０００６】
従来のスナップフィット部品の取付構造は以上のように構成されているので、筐体に上蓋が取り付けられた状態のままでは前記筐体内部のフローティングデッキの高さ調整やスナップフィット部品の交換を行うことができず、したがって、前記フローティングデッキの高さ調整やスナップフィット部品の交換を行う際には、その都度、筐体から上蓋を取り外さなければならないという課題があった。そこで、上蓋を筐体に取り付けた状態のままでフローティングデッキの高さ調整やスナップフィット部品の交換を可能とするために、前記上蓋に治具挿入用の開口部を設けることも考えられるが、前記筐体の内部には多数の機構部品が配置されているため、十分な大きさの治具挿入用の開口部を確保することは非常に困難であり、その開口部を設けたとしても、前述のように上蓋の裏面にネジ込み等の手段で取り付け固定されたスナップフィット部品を、前記筐体に上蓋が取り付けられた状態のままで取り外すことはできないという課題があった。
【０００７】
なお、特許文献１の場合、車体パネルと外装部品との締結部品を外部からマイナスドライバーで取り外すことができても、前記スナップフィット部品のように、筐体の上蓋裏面に前記締結部品が組み付けられている場合、前記筐体に上蓋が取り付けられた状態のまま前記締結部品をマイナスドライバーで外部から取り外し、その取り外し締結部品をマイナスドライバーで保持して外部に取り出すことはできないという課題があった。
【０００８】
この発明は上記のような課題を解決するためになされたもので、作動機構を内蔵する筐体に上蓋が取り付けられた状態のままで上蓋裏面に組み付けられたスナップフィット部品を外部から脱着することができるスナップフィット部品の取付構造を得ることを目的とする。
【０００９】
また、この発明は、筐体に上蓋が取り付けられた状態のままで上蓋裏面に組み付けられたスナップフィット部品を外部から容易に取り外すことができ、その取り外しスナップフィット部品を保持して外部に取り出すことができるスナップフィット部品脱着用治具を得ることを目的とする。
【課題を解決するための手段】
【００１０】
この発明に係る係合部品の取付構造は、作動機構を内蔵する筐体と、この筐体の内底部に高さ調整可能に取り付けられた下側芯出し部材と、点検用窓穴を有して前記筐体に取り付けられた上蓋とを備え、前記上蓋の裏面に前記下側芯出し部材と同芯状に組み付けられる係合部品の取付構造において、前記上蓋に設けられた部品取付穴と、前記係合部品の軸方向一端部に設けられて前記部品取付穴に前記上蓋の裏側から挿入され、前記係合部品を回動させて前記上蓋の表面側に係合させた係合爪と、前記係合部品の軸方向他端部に設けられ、前記点検用窓穴から筐体内部に挿入可能な治具を着脱可能に嵌め込み係合させる治具係合受部とからなるものである。
【００１１】
この発明に係る係合部品脱着用治具は、作動機構を内蔵する筐体の上蓋の裏面に取り付ける係合部品の軸方向一端に設けられた係合爪を、前記上蓋に設けられた部品取付孔に挿入し、前記係合部品を回動させて前記係合爪を上蓋の表面側に係合させることにより、前記上蓋の裏面に取り付けられた係合部品を脱着する部品脱着用治具であって、前記上蓋に設けられた点検用窓穴から筐体内部に挿入可能なハンドル軸の先端側をほぼＵ字形状に屈曲させ、その屈曲先端側には、前記係合部品の軸方向他端部に設けられた治具係合受部に着脱可能に嵌め込み係合させる治具側係合部を設けたものである。
【発明の効果】
【００１２】
この発明によれば、上蓋の裏面に組み付ける係合部品の軸方向一端部に、前記上蓋に設けられた部品取付孔に挿入可能な係合爪を設け、その係合爪を前記部品取付孔に上蓋裏面側から挿入して前記係合部品を回動させることにより、前記係合爪を上蓋表面に係合させるように構成すると共に、前記係合部品の軸方向他端部には、前記上蓋の点検用窓穴から筐体内部に挿入可能な治具を着脱可能に嵌め込み係合させる治具係合受部を設けるように構成したので、前記筐体に上蓋が取り付けられた状態のままで、その上蓋が本来有している点検用窓穴を利用して当該点検用窓穴から筐体内部に挿入された治具を前記係合部品の治具係合受部に嵌め込み係合させて当該係合部品を、その係合爪が前記部品取付孔に合致する位置まで前記治具で回動させることにより、前記係合部品を取り外すことができるという効果がある。したがって、筐体に上蓋が取り付けられた状態のままで、様々な作動機構を内蔵している筐体内の下側芯出し部材の高さ調整時に邪魔になる上蓋裏面の係合部品を取り外すことができるという効果がある。すなわち、前述のように、筐体に上蓋が取り付けられた状態のままで、当該上蓋裏面の係合部品を取り外して前記下側芯出し部材の高さ調整を行うことができ、このため、例えばカーオーディオデッキなど上蓋裏面に係合部品が取り付けられる機器の組立精度を向上させることができるという効果がある。
【００１３】
この発明によれば、ハンドル軸の先端側をほぼＵ字形状に屈曲させ、その屈曲部先端側に係合部品の治具係合受部に着脱可能に嵌め込係合させる治具側係合部を設けるように構成したので、係合部品の係合爪を上蓋の部品取付孔に挿入し、前記係合部品を回動させて前記係合爪を上蓋の表面側に係合させることで前記上蓋の裏面に係合部品が組み付けられ、その上蓋が筐体に取り付けられた状態のままで、前記上蓋の点検用窓穴から挿入したハンドル軸の先端側の治具側係合部を前記係合部品の治具係合受部に嵌め込み係合させて前記係合部品を前記部品取付孔と前記係合爪との合致位置まで回動させることにより、前記部品取付孔から前記係合爪を抜き取って上蓋の裏面から係合部品を取り外すことができ、その取り外し係合部品を前記ハンドル軸先端側でほぼＵ字形状に屈曲した治具側係合部で保持して前記点検用窓穴から外部に取り出すことができるという効果がある。
【発明を実施するための最良の形態】
【００１４】
実施の形態１．
図１はこの発明の実施の形態１による係合部品としてのスナップフィット部品の取付構造を備えたカーオーディオのディスク装置を示す外観斜視図、図２は図１のＡ−Ａ線断面図、図３（Ａ）は図２中の筐体側部品取付部の拡大断面図、図３（Ｂ）は図３（Ａ）の平面図である。
図１に示すスナップフィット部品の取付構造は、カーオーディオのディスク装置に適用されているもので、ディスク再生系統の様々な作動機構が組み付けられた筐体１と、この筐体１に着脱可能に取り付けられた上蓋２とを備えており、それらの要部構造について以下に説明する。
まず、筐体１は、図２に示すように、その内部一側で基端部がデッキ支軸４に水平回動自在に支持されて先端側にディスク載置用のターンテーブル５等が搭載されたフローティングデッキ３と、ディスク再生時およびディスクチェンジの際にディスクの芯出しを行う高さ調整可能な円柱形状の下側芯出し部材６とを備えている。
【００１５】
さらに詳しく説明すると、前記下側芯出し部材６は中心貫通孔６ａを有する樹脂製のもので、その中心貫通孔６ａを前記筐体１の底部中央付近にカシメ固定されたピン（支軸）７に圧入することで、当該ピン７に前記下側芯出し部材６が高さ調整可能に保持されている。また、前記フローティングデッキ３の先端部一側には、前記下側芯出し部材６に側方から嵌め込んでディスク再生時等に前記ターンテーブル５を前記ピン７と同芯状の芯出し位置に保持させるための切欠部３ａが設けられている。なお、図３（Ａ）において、前記下側芯出し部材６の外周には、前記切欠部３ａを係脱可能に嵌め込み係合させるための係合溝（係合受部）６ｂが設けられている。したがって、この実施の形態１では、前記フローティングデッキ３が水平方向へ回動駆動されて先端側の切欠部３ａが前記下側芯出し部材６の係合溝６ｂに嵌め込み係合することで、前記ターンテーブル５が前記ピン７と同芯状の芯出し位置に保持されるようになっている。
【００１６】
一方、前記上蓋２には、当該上蓋２を前記筐体１に取り付けた状態で前記ピン７の先端と同芯状に対向する芯出し孔８と、この芯出し孔８を中心として当該芯出し孔８を挟む位置で開孔する少なくとも２個以上の部品取付孔９と、前記筐体１の内部機構を外部から視認可能とする点検用窓穴１０が設けられている。このような上蓋２の裏面側には、前記部品取付孔９を介してスナップフィット部品１１が着脱可能に取り付けられている。このスナップフィット部品１１はディスクチェンジの際のディスクを芯出しする上側芯出し部材となるもので、前記下側芯出し部材６と同芯状に取り付けられる円柱形状に形成されている。そして、前記スナップフィット部品１１の軸方向一端（上端）には、前記部品取付孔９を介して前記上蓋２の表面に係合させるための係合爪１２（図４参照）が一体に設けられている。この係合爪１２は、前記スナップフィット部品１１の上端から立ち上がって径方向外方を向く方向に屈曲した形状に形成されている。また、前記スナップフィット部品１１の中心部には、前記係合爪１２とは反対側となる軸方向他端が開孔する角穴形状（例えば、六角穴形状）の治具嵌合穴（治具係合受部）１３が設けられている。
【００１７】
以上において、ディスク装置の組み立てに際しては、上蓋２の裏側から部品取付孔９にスナップフィット部品１１の係合爪１２を挿入してスナップフィット部品１１を回動させることで、前記係合爪１２が上蓋２の表面に係合し、これにより、前記スナップフィット部品１１が上蓋２の裏面に組み付けられている。このようにスナップフィット部品１１が組み付けられた上蓋２を筐体１に取り付けることによって、前記スナップフィット部品１１が下側芯出し部材６と同芯状に保持された状態にディスク装置が組み立てられる。その組立状態においては、ディスク装置のメカ組立最終工程としてフローティングデッキ３の高さ調整が行われる。その高さ調整は、前記筐体１から上蓋２を取り外すことなく当該上蓋２の裏面からスナップフィット部品１１を取り外した後に行われる。その取り外しは、上蓋２の点検用窓穴１０から前記上蓋２裏面のスナップフィット部品１１の治具嵌合穴１３に嵌め込み係合可能な治具によって実現可能である。
【００１８】
以上説明した実施の形態１によれば、例えばカーオーディオメカなど様々な作動機構を内蔵した筐体１と、点検用窓穴１０を有して前記筐体１に取り付けられる上蓋２とを備え、前記上蓋２の裏面に取り付けるスナップフィット部品１１の取付構造において、前記スナップフィット部品１１の軸方向一端部に係合爪１２を一体に設け、かつ前記スナップフィット部品１１の軸方向他端には治具嵌合穴１３を設けると共に、前記上蓋２には前記スナップフィット部品１１を取り付けるための部品取付孔９を設け、その部品取付孔９に前記スナップフィット部品１１の係合爪１２を上蓋２の裏面側から挿入し、前記スナップフィット部品１１を回動させて前記係合爪１２を上蓋２の表面側に係合させるように構成したので、当該上蓋２の点検用窓穴１０から上蓋２裏面のスナップフィット部品１１の治具嵌合穴１３に治具を嵌め込み係合させることが可能となり、その治具で前記スナップフィット部品１１を回動させることにより、当該スナップフィット部品１１の係合爪１２を上蓋２の部品取付孔９に合致させて、その部品取付孔９から前記係合爪１２を抜き取ることができる。したがって、前記筐体１に上蓋２が取り付けられた状態のまま当該上蓋２の裏面からスナップフィット部品１１を取り外すことができるという効果がある。
【００１９】
また、前述のように、筐体１に上蓋２が取り付けられた状態のまま当該上蓋２の裏面からスナップフィット部品１１を取り外すことができるため、前記筐体１内の下側芯出し部材６の高さ調整時に前記スナップフィット部品１１が邪魔になるようなことがなく、前記下側芯出し部材６を高さ調整専用の治具で高さ調整することが可能になるという効果がある。
【００２０】
実施の形態２．
図５はこの発明の実施の形態２による部品脱着用治具を示す斜視図である。
図５に示す部品脱着用治具２０は、前記実施の形態１によるスナップフィット部品の取付構造におけるスナップフィット部品の脱着に適用されるもので、先端側がほぼＵ字形状に屈曲してその屈曲先端部が前記スナップフィット部品１１の治具嵌合穴１３に嵌め込み整合可能な角形（例えば、六角形状）の嵌合凸部（治具側係合部）２４として形成された基本形状となっている。さらに詳しく説明すると、前記部品脱着用治具２０は、一端側に把持操作部２２を有するハンドル軸２１と、このハンドル軸２１の他端に基端が一体連結されて直角方向に延びるプレート２３と、このプレート２３の先端側上面に突設されて前記治具嵌合穴１２に嵌め込み整合可能な角形に形成された嵌合凸部２４とから構成されている。
【００２１】
次に、ディスク装置の組立後における筐体１内部のフローティングデッキ３の高さ調整について説明する。図６は図５の部品脱着用治具２０によるスナップフィット部品１１の脱着動作を説明するための断面図、図７は図６の要部平面図である。
前記フローティングデッキ３の高さ調整に際しては、まず、筐体１に上蓋２が取り付けられた状態のまま当該上蓋２の裏面からスナップフィット部品１１を部品脱着用治具２０によって取り外す。この場合、部品脱着用治具２０のハンドル軸２１の先端側を上蓋２の点検用窓穴１０から筐体１２内に挿入すると、前記ハンドル軸２１先端の嵌合凸部２４が上向きとなる。すなわち、前記嵌合凸部２４は、前記ハンドル軸２１の先端側をほぼＵ字形状に屈曲させて当該屈曲先端部に形成されていることから、前述のように上蓋２の点検用窓穴１０から筐体１内に挿入されたハンドル軸２１先端の嵌合凸部２４は上向きとなるのである。
【００２２】
このように筐体１内で上向きとなった前記嵌合凸部２４をスナップフィット部品１１の治具嵌合穴１３に嵌合させる。その嵌合は、前記スナップフィット部品１１の下端に前記嵌合凸部２４が対向した位置で前記ハンドル軸２１を持ち上げることにより実現できる。このようにして、前記ハンドル軸２１先端の嵌合凸部２４を上蓋２裏面のスナップフィット部品１１の治具嵌合穴１３に嵌合させた状態で、その両者の嵌合部を中心として前記ハンドル軸２１を図７中の矢印方向に回動させることにより、前記嵌合凸部２４と共回りするスナップフィット部品１１の係合爪１２を上蓋２の部品取付孔９に合致させると、その部品取付孔９から前記スナップフィット部品１１の係合爪１２が抜け落ちる状態となる。そこで、前記ハンドル軸２１を押し下げることにより、当該ハンドル軸２１先端の嵌合凸部２４に保持されたスナップフィット部品１１が筐体１内で上蓋２の裏面から取り外される。その取り外しスナップフィット部品１１は、前記ハンドル軸２１先端の上向き嵌合凸部２４に保持されたままとなっているので、上蓋２の点検用窓穴１０から外部に部品脱着用治具２０ともども取り出すことができる。
【００２３】
このようにして、筐体１に上蓋２が取り付けられた状態のまま当該上蓋２の裏面からスナップフィット部品１１を取り外した後、図３（Ａ）に示すように、上蓋２の芯出し孔８から下側芯出し部材６の中心貫通孔６ａを介してピン７の上端に上側押圧治具３０を当接させ、この状態において、前記筐体１の底部に設けられた治具挿入用の開口部１ａを介して下側芯出し部材６の下端面に下側押圧治具３１を当接させ、その下側押圧治具３１で前記下側芯出し部材６を押し上げることにより、その下側芯出し部材６が前記フローティングデッキ３の所定の芯出し位置に高さ調整される。
【００２４】
その高さ調整後に、前記部品脱着用治具２０のハンドル軸２１先端の嵌合凸部２４にスナップフィット部品１１の治具嵌合穴１３を嵌め込み保持させ、この状態の前記ハンドル軸２１を上蓋２の点検用窓穴１０から挿入し、前記スナップフィット部品１１の係合爪１２を上蓋２の部品取付孔９に上蓋２の裏面側から挿入して回動させ、その上蓋２の表面に前記スナップフィット部品の係合爪１２を係合させることにより、上蓋２の裏面にスナップフィット部品１１が再び組み付けられる。その組み付け後に、前記ハンドル軸２１を一旦押し下げれば、当該ハンドル軸２１先端の嵌合凸部２４がスナップフィット部品１１の治具嵌合穴１３から抜け出すので、前記点検用窓穴１０から部品脱着用治具２０を容易に抜き取ることができる。
【００２５】
以上説明した実施の形態２によれば、上蓋２の点検用窓穴１０から筐体１内に挿入可能なハンドル軸２１の先端側をほぼＵ字形状に屈曲し、その屈曲先端側にスナップフィット部品１１の治具嵌合穴１３に着脱可能に嵌め込係合させる嵌合凸部２４を設けて部品脱着用治具２０を構成したので、スナップフィット部品１１の係合爪１２を上蓋２の部品取付孔９に挿入し、前記スナップフィット部品１１を回動させて係合爪１２を上蓋２の表面側に係合させることで当該上蓋２の裏面に前記スナップフィット部品１１が組み付けられ、その上蓋２が筐体１に取り付けられた状態において、前記上蓋２の点検用窓穴１０から筐体１内にハンドル軸２１を挿入し、当該ハンドル軸１１の先端側の嵌合凸部２４を前記スナップフィット部品１１の治具嵌合穴１３に嵌め込み係合させて前記スナップフィット部品１１を前記部品取付孔９と前記係合爪１２との合致位置まで回動させることにより、前記部品取付孔９から前記係合爪１２を抜き取って上蓋２の裏面からスナップフィット部品１１を取り外すことができるという効果がある。
【００２６】
しかも、前記嵌合凸部２４は、前記ハンドル軸２１の先端側をほぼＵ字形状に屈曲させて当該屈曲先端部に形成されていることから、前述のように上蓋２の点検用窓穴１０から筐体１内に挿入されたハンドル軸２１先端の嵌合凸部２４は上向きとなることにより、その上向きの嵌合凸部２４で前述のように取り外されたスナップフィット部品１１を保持して前記点検用窓穴１０から外部に取り出すことができるという効果がある。
【００２７】
実施の形態３．
図８はこの実施の形態３によるスナップフィット部品の取付構造を示す断面図、図９は図８の平面図であり、図１〜図７と同一または相当部分には同一符号を付して重複説明を省略する。
この実施の形態３では、上蓋２におけるスナップフィット部品１１の取付部分にテーパ状の凹部（以下、上蓋凹部という）１５を形成し、その底部中央に前記実施の形態１における部品取付孔９を兼ねた１つの芯出し孔８を設け、この芯出し孔８の孔縁部に径方向外側を向く切欠孔部８ａ（図９参照）を連続形成したものである。また、スナップフィット部品１１の軸方向一端部（上端）には、前記上蓋２の裏面に先端を当接させる筒状壁部１１ａと、この筒状壁部１１ａの中央部から立ち上がるネック部１２ａを介して当該ネック部１２ａの上端に前記筒状壁部１１ａ内で径方向外側を向くように屈曲形成された少なくとも２つ以上の係合爪１２とを一体形成したものである。
【００２８】
ここで、前記芯出し孔８の切欠孔部８ａは前記係合爪１２を挿入通過させるものであり、その通過後に前記係合爪１２のネック部１２ａが前記芯出し孔８に嵌め込み整合されるものである。つまり、前記係合爪１２のネック部１２ａはスナップフィット部品１１の中心部材となって前記芯出し孔８に挿入されるものである。なお、この実施の形態３の他の構成は前記実施の形態１と同様である。
【００２９】
次に、前記スナップフィット部品１１の組み付け動作について説明する。
図１および図２に示す筐体１に取り付け前の上蓋２の芯出し孔８の切欠孔部８ａに上蓋２の裏面側からスナップフィット部品１１の係合爪１２を挿入通過させ、その通過後に前記スナップフィット部品１１を回動させることにより、前記係合爪１２が上蓋凹部１５の底部表面に係合して上蓋２の裏面に前記スナップフィット部品１１が組み付け固定される。このようにしてスナップフィット部品１１が組み付けられた上蓋２を筐体１に取り付けた状態のまま、前記筐体１内の下側芯出し部材６を高さ調整するに際しては、前記実施の形態２による部品脱着用治具２０によって前記上蓋２からスナップフィット部品１１が取り外される。その取り外しは、前記実施の形態２による場合と同様に行われる。また、前記部品脱着用治具２０によるスナップフィット部品１の取り外し後における前記下側芯出し部材６の高さ調整、および、その高さ調整後におけるスナップフィット部品１１の上蓋２への組み付けについても前記実施の形態２による場合と同じ要領で行われる。
【００３０】
以上説明した実施の形態３によれば、前記実施の形態１，２の場合と同様の効果に加え、上蓋２の裏面に組み付けられたスナップフィット部品１１の係合爪１２が上蓋凹部１５内に納められるので、前記係合爪１２が上蓋２の表面から突出しないという効果がある。また、スナップフィット部品１１の上端中央部から立ち上がる係合爪１２のネック部１２ａが上蓋２の１つの芯出し孔８に挿入されるため、前記スナップフィット部品１１の上蓋２への組み付け位置での芯出し精度が向上するという効果がある。さらに、前記係合爪１２が上蓋凹部１５の底部表面に係合した状態では、スナップフィット部品１１の筒状壁部１１ａの上端が前記上蓋２の裏面に当接するので、当該上蓋２に組み付け状態のスナップフィット部品１１が濫りに回動するようなことがなく、スナップフィット部品１１の十分な組み付け強度を確保できるという効果がある。
【００３１】
実施の形態４．
図１０はこの発明の実施の形態４によるスナップフィット部品の取付構造を示す断面図、図１１は図１０の平面図であり、図８および図９と同一部分には同一符号を付して重複説明を省略する。
この実施の形態４では、スナップフィット部品１１の上端中心部に中心軸部１２ｂを一体突設し、この中心軸部１２ｂの上端側に径方向外方へ延びる少なくとも２つ以上の係合爪１２を一体形成したものである。ここで、前記中心軸部１２ｂの上端は、図１０に示すように、前記係合爪１２よりも上方に突出して、当該係合爪１２が上蓋凹部１５の底部表面に係合した状態で当該上蓋凹部１５内に収まる長さに形成してある。なお、その他の構成は前記実施の形態３と同様である。
【００３２】
このように構成した実施の形態４によれば、前記実施の形態１，２の場合と同様の効果に加え、筐体１に上蓋２が取り付けられた状態のまま、前記実施の形態２による部品脱着用治具２０で上蓋２から一旦取り外されたスナップフィット部品１１を前記上蓋２に再度組み付ける際に、まず中心軸部１２ｂの突端（上端）が上蓋２の芯出し孔８に挿入されることにより、前記中心軸部１２ｂの突端部を先導として係合爪１２を前記芯出し孔８の切欠孔部８ａに挿入し易くなり、このため、前記スナップフィット部品１１の組み付け作業性がいっそう向上するという効果がある。また、前記スナップフィット部品１１の上蓋２への組み付け時には、前記切欠孔部８ａに対する前記係合爪１２の挿入通過後に前記中心軸部１２ｂが芯出し孔８に挿入されるため、前記スナップフィット部品１１の組み付け芯出し精度が向上するという効果がある。
【００３３】
実施の形態５．
図１２はこの発明の実施の形態５によるスナップフィット部品の取付構造を示す断面図、図１３は図１２の平面図であり、図８〜図１１と同一部分には同一符号を付して重複説明を省略する。
この実施の形態５では、スナップフィット部品１１の軸方向一端（上端）に、中心軸部１２ａと、この中心軸部１２ｂを離れた位置で挟む少なくとも２つ以上の係合爪１２とをそれぞれ独立して一体形成すると共に、上蓋凹部１５の底部に、前記中心軸部１２ｂを挿入する芯出し孔８と、前記係合爪１２を挿入する部品取付孔９とをそれぞれ独立して設けたものである。
【００３４】
このように構成した実施の形態５にあっても、筐体１に上蓋２が取り付けられた状態のまま、前記実施の形態２による部品脱着用治具２０で上蓋２から一旦取り外されたスナップフィット部品１１を前記上蓋２に再度組み付ける際に、前記実施の形態４の場合と同様に、まず中心軸部１２ｂの突端（上端）が上蓋２の芯出し孔８に挿入され、次いで係合爪１２が芯出し孔８の切欠孔部８ａに挿入されることにより、前記中心軸部１２ｂの突端部を先導として前記係合爪１２を前記切欠孔部８ａに挿入し易くなり、このため、前記実施の形態４と同様の効果が得られる。
【００３５】
実施の形態６．
なお、前記各実施の形態では、スナップフィット部品１１の治具嵌合穴１３を角穴形状に形成し、部品脱着用治具２０の嵌合凸部２４を前記治具嵌合穴１３とほぼ同一断面形状に形成したが、前記スナップフィット部品１１の治具係合受部となる治具嵌合穴１３および前記部品脱着用治具２０の嵌合凸部（治具側係合部）２４は、前記治具嵌合穴１３に挿入された嵌合凸部２４を前記治具嵌合穴１３に対して部品脱着用治具２０の回動方向に係合させ得るものであれば、いかなる断面形状であってもよく、この場合であっても、筐体１に上蓋２が取り付けられた状態のまま、前記各実施の形態と同様に上蓋２裏面のスナップフィット部品１１を前記部品脱着用治具２０で取り外すことができるという効果がある。
【図面の簡単な説明】
【００３６】
【図１】この発明の実施の形態１によるスナップフィット部品の取付構造を備えたカーオーディオのディスク装置を示す外観斜視図である。
【図２】図１のＡ−Ａ線断面図である。
【図３】図３（Ａ）は図２中の筐体側部品取付部の拡大断面図、図３（Ｂ）は図３（Ａ）の平面図である。
【図４】図２中のスナップフィット部品を示す斜視図である。
【図５】この発明の実施の形態２による部品脱着用治具を示す斜視図である。
【図６】図５の部品脱着用治具によるスナップフィット部品の脱着動作を説明するための断面図である。
【図７】図６の上蓋の点検用窓穴での部品脱着用治具の動作を説明するための平面図である。
【図８】この発明の実施の形態３によるスナップフィット部品の取付構造を示す断面図である。
【図９】図８の平面図である。
【図１０】この発明の実施の形態４によるスナップフィット部品の取付構造を示す断面図である。
【図１１】図１０の平面図である。
【図１２】この発明の実施の形態５によるスナップフィット部品の取付構造を示す断面図である。
【図１３】図１２の平面図である。
【符号の説明】
【００３７】
１  筐体、１ａ  開口部、２  上蓋、３  フローティングデッキ、３ａ  切欠部、４  デッキ支軸、５  ターンテーブル、６  下側芯出し部材、６ａ  中心貫通孔、６ｂ  係合溝（係合受部）、７  ピン、８  芯出し孔、８ａ  切欠孔部、９  部品取付孔、１０  点検用窓穴、１１  スナップフィット部品、１１ａ  筒状壁部、１２  係合爪、１２ａ  ネック部、１２ｂ  中心軸部、１３  治具嵌合穴、１５  凹部、２０  部品脱着用治具、２１  ハンドル軸、２２  把持操作部、２３  プレート、２４  嵌合凸部。
【図１】
2006127578.tif 000003
【図２】
2006127578.tif 000004
【図３】
2006127578.tif 000005
【図４】
2006127578.tif 000006
【図５】
2006127578.tif 000007
【図６】
2006127578.tif 000008
【図７】
2006127578.tif 000009
【図８】
2006127578.tif 000010
【図９】
2006127578.tif 000011
【図１０】
2006127578.tif 000012
【図１１】
2006127578.tif 000013
【図１２】
2006127578.tif 000014
【図１３】
2006127578.tif 000015